(57)【要約】【課題】主に根太掛け９の位置出しと取り付け作業を容易に行うことができるバルコニーの提供。【解決手段】建屋開口部１の両側方下部から屋外側に突出した左右両側の妻梁４と、これら妻梁４の基部の間に建屋外壁に沿って設けられた根太掛け９とを備え、これら妻梁４と根太掛け９上に支持された根太８に支持されたデッキ材６の上面と、上記建屋開口部１のサッシ枠の下枠の上面と屋内側の床３面とを略面一にしたバルコニーであって、上記根太掛け９の両側端から係合片２３を突出させ、該係合片２３を上記妻梁４の内側に沿って形成した受け部２４に係合させた。【選択図】図１
2005290829.tif 000002
【特許請求の範囲】
【請求項１】
建屋開口部の両側方下部から屋外側に突出した左右両側の妻梁と、これら妻梁の基部の間に建屋外壁に沿って設けられた根太掛けとを備え、この根太掛け上の根太に支持されたデッキ材の上面と、上記建屋開口部のサッシ枠の下枠の上面と屋内側の床面とを略面一にしたバルコニーにおいて、上記根太掛けの両側端から係合片を突出させ、該係合片を上記妻梁の内側に沿って形成した受け部に係合させたことを特徴とするバルコニーにおける根太掛け構造。
【請求項２】
建屋開口部の両側方下部から屋外側に突出した左右両側の妻梁と、これら妻梁の基部の間に建屋外壁に沿って設けられた根太掛けとを備え、この根太掛け上の根太に支持されたデッキ材の上面と、上記建屋開口部のサッシ枠の下枠の上面と屋内側の床面とを略面一にしたバルコニーにおいて、上記根太掛けの両側端から係合片を突出させ、該係合片を上記妻梁の内側に沿って形成した受け部に係合させた状態で根太掛けを建屋外壁に向けて押し込んで受け部に沿って摺動させ、建屋外壁に当接させた後、根太掛けを建屋躯体に固定することを特徴とするバルコニーにおける根太掛けの取付方法。
【発明の詳細な説明】
【技術分野】
【０００１】
本発明は、デッキ材の上面と建屋開口部のサッシ下枠上面と屋内側の床面とを略面一にしたバリアフリー対応のバルコニーにおける根太掛け構造およびその取付方法に関するものである。
【背景技術】
【０００２】
従来のバルコニーは、建屋開口部から屋外側に突出したデッキを備えている。デッキを構成するデッキ材は直接には根太に支持されるが、根太の基部は根太掛けに支持されている。根太掛けは建屋外壁に沿って固定されるものであるが、根太掛けが正確な位置に設けられていないと、デッキ材が傾斜してしまうので、その位置出しは非常に重要である。
【０００３】
また、デッキ材の上面と建屋開口部のサッシ枠の下枠の上面には段差が設けられ、デッキ面は段落ちして設置されていた。その理由は、施工の問題もあるが、特に雨水が入りこみやすくなるからである。すなわち、デッキ面とサッシ下枠面とが面一であると、降雨時に雨水がサッシ下枠に吹きこみやすくなり、さらに屋内側にも進入するという可能性が高くなるのである。
【０００４】
ところが、最近はデッキ材の上面と建屋開口部のサッシ下枠の上面と屋内側の床面とを略面一にすることによって、老人が躓いたりせず、車椅子でも容易に移動できるようにするバリアフリー対応が求められている。これに対応するためには、デッキ材の位置を従来よりも高くしなければならないが、そのためには、デッキ材を支持するための根太掛けも、従来のものに比べ、根太を支持する部分も高くする必要がある。しかし、根太掛け自体はサッシ下枠があるので、従来と同じ位置に保持しなければならない。このため、バリアフリー用の根太掛けは根太支持部のみが高くなる構造にならざるを得ないから、必然的に大型化し、重量も重くなる。
【０００５】
また、デッキ面とサッシ下枠面とが面一になれば、雨水の吹きこみを効果的に防止することが要求される。
【０００６】
そこで、最近のバリアフリー対応のバルコニーでは、根太掛けが大きくなり、相当の重量があるため、根太掛けをベース部材と根太掛け本体に２分割しておき、予め建屋外壁にベース部材を固定しておき、このベース部材に根太掛け本体を係止させる方式を採用したものが知られている。
【発明の開示】
【発明が解決しようとする課題】
【０００７】
しかしながら、根太掛けを２分割すると、その取付作業が煩雑になるだけでなく、ベース部材を躯体外壁の正確な位置に固定すること自体が難しい。ベース部材はサッシ下枠の下方に設けられるので、サッシ下枠の位置を目安にしてその位置を決めるしかないからである。
【０００８】
本発明は上記問題点を解消し、主に根太掛けの位置出しと取り付け作業を容易に行うことができるバルコニーにおける根太掛け構造およびその取付方法を提供することをその課題とする。
【課題を解決するための手段】
【０００９】
前記課題を解決するため、本発明に係るバルコニーにおける根太掛け構造は、建屋開口部の両側方下部から屋外側に突出した左右両側の妻梁と、これら妻梁の基部の間に建屋外壁に沿って設けられた根太掛けとを備え、この根太掛け上の根太に支持されたデッキ材の上面と、上記建屋開口部のサッシ枠の下枠の上面と屋内側の床面とを略面一にしたバルコニーにおいて、上記根太掛けの両側端から係合片を突出させ、該係合片を上記妻梁の内側に沿って形成した受け部に係合させたことを特徴とする。
【００１０】
また、本発明に係るバルコニーにおける根太掛けの取付方法は、建屋開口部の両側方下部から屋外側に突出した左右両側の妻梁と、これら妻梁の基部の間に建屋外壁に沿って設けられた根太掛けとを備え、この根太掛け上の根太に支持されたデッキ材の上面と、上記建屋開口部のサッシ枠の下枠の上面と屋内側の床面とを略面一にしたバルコニーにおいて、上記根太掛けの両側端から係合片を突出させ、該係合片を上記妻梁の内側に沿って形成した受け部に係合させた状態で根太掛けを建屋外壁に向けて押し込んで受け部に沿って摺動させ、建屋外壁に当接させた後、根太掛けを建屋躯体に固定することを特徴とする。
【発明の効果】
【００１１】
請求項１に係る発明によれば、根太掛けの両側端から係合片を突出させ、該係合片を上記妻梁の内側に沿って形成した受け部に係合させたので、まず妻梁を取り付けておき、根太掛けの両側の係合片を妻梁の受け部に係合させ、その状態で根太掛けを押し込んで受け部に沿って摺動させ、建屋外壁に当接させた後、根太掛けをネジ等の固定手段によって建屋躯体に固定すればよい。したがって、根太掛けの取付作業は容易に行うことができるとともに、妻梁の受け部に係合片を支持させることにより、妻梁に対する根太掛けの位置が正確に決まるから、根太掛けの位置出しも自動的に正確に行われる。
【００１２】
請求項２に係る発明によれば、根太掛けの取付作業は容易に行うことができるとともに、妻梁の受け部に係合片を支持させることにより、妻梁に対する根太掛けの位置が正確に決まるから、根太掛けの位置出しも自動的に正確に行われる。
【発明を実施するための最良の形態】
【００１３】
図１はバルコニーの縦断面図であり、図２は図１のＸ−Ｘ線上の要部断面図である。同図において符号１は建屋開口部を示す。この開口部１にはサッシ枠２が設けられている。２ａはサッシ下枠で、上記開口部１の下方の建屋躯体ａに固定されている。ｂは建屋の外壁、３はサッシ下枠２ａの屋内側の床を示す。サッシ下枠２ａの上面は床面と略面一になるように配置されている。
【００１４】
次に、上記開口部１の屋外側にはバルコニーＡが設置されている。このバルコニーＡは、建屋開口部１の両側方下部から屋外側に突出した左右両側の妻梁４と、これらの妻梁４の先端を連結する前枠５と、妻梁４と前枠５との間に設けられたデッキ材６と、妻梁４と前枠５の上方に設けられた格子枠７とから大略構成されている。
【００１５】
ところで、上記デッキ材６は根太８に支持され、根太８は根太掛け９と前枠５に支持されている。すなわち、前枠５の背面側に根太８の支持縁１０が突出形成されている。また、根太掛け９は両側の妻梁４の間に配置され、図３に示されるように、上方が開口した樋状に形成され、基部側の側壁１１は建屋外壁に固定され、その反対側の側壁１２の上端に根太８を支持している。上記側壁１２の上端にはボルト１３の頭部を受ける受け溝１４が形成され、ボルト１３は根太８の下壁を貫通し、ナット１５で締めつけて根太８を固定している。根太８は断面方形で、下端一側から固定片１６が突出形成されている。
【００１６】
ところで、妻梁４の内側面の上下部には、それぞれ主妻雨樋１７と補助妻雨樋１８とが設けられている。主妻雨樋１７は妻梁４とは別体の型材によって構成され、両端は蓋で覆われているとともに、内側の側壁１９は根太８と同じ高さレベルに設けられ、下方には根太掛け９に固定するための固定片２０が形成されている。補助妻雨樋１８は断面コ字形に形成されている。そして、主妻雨樋１７と補助妻雨樋１８には、それぞれ雨樋２１が連結されている。
【００１７】
また、上記根太掛け９の両端には蓋材２２が固定されている。これにより、根太掛け９は上向きの雨樋として構成され、根太掛け９の下部には雨樋３１が連結されている。
蓋材２２のほぼ中央部には切り起しによって係合片２３が外方に突出されている。この係合片２３は上記妻梁４の内側に沿って形成した受け部２４（補助妻雨樋１８の内側の側壁）に係合している。
【００１８】
上記デッキ材６の上面はサッシ下枠２ａの上面と略面一になるように配置されている。
【００１９】
上記構成において、バルコニーＡを施工するときは、まず建屋躯体ａの所定位置に取付金具３２を先付けしておき、この取付金具３２を上記両側の妻梁４の基部に嵌合させて固定し、両側の妻梁４の先端を前枠５で連結する。そして、妻梁４と前枠５とを適宜手段で水平に保持する。それから、根太掛け９を両側の妻梁４の間に持ち上げ、図２のように根太掛け９の両側に突出した係合片２３を妻梁４の内側の受け部２４に係合させる。その状態で根太掛け９を図４に示されるように、押し込んで受け部２４に沿って摺動させ、建屋外壁ｂに当接させた後、根太掛け９をコーチスクリュー３０等の固定手段によって建屋躯体ａに固定する。
【００２０】
根太掛け９の係合片２３を妻梁４の受け部２４に支持させた状態で建屋外壁ａに当接させると、根太掛け９は仮支持状態となる。したがって、根太掛け９の取付作業は容易に行うことができるとともに、妻梁４の受け部２４に係合片２３を支持させることにより、妻梁４に対する根太掛け９の位置が正確に決まるから、根太掛け９の位置出しも自動的に正確に行われる。
【００２１】
なお、図５は、シャッター付きサッシ枠２Ａを取り付けた場合の根太掛け構造を示すもので、基本的には通常のサッシ収まりと同じであるから、同じ符号で示す。
【００２２】
なお、シャッターの下端には幅木（ボトムスラットともいう）２５が取り付けられ、幅木２５には水切り縁２６が取り付けられている。水切り縁２６は幅木２５よりも屋外側に突出し、かつ下方に垂れるものであるから、サッシ下枠２ａには上記水切り縁２６を受ける幅木受け２７が形成されている。幅木受け２７はデッキ材６の位置出しをするための目印となる。また、幅木受け２７がないと、サッシ下枠２ａとデッキ材６との間の隙間が大きくなって、小さな物が落下するおそれがある。
また、シャッター付きサッシにおいては、幅木受け２７があるため、デッキ材６の端部よりも根太８の端部の方が外壁ｂ寄りに出っ張るので、シャッターの幅木受け２７とデッキ材６との間の隙間から流れ込んだ雨水は、デッキ材６と根太８の間や、根太８の内部に入り込んでしまい、バルコニーから直接に落ちてしまう。そのため、幅木受け２７に向き合うデッキ材６の端縁には化粧アングル２９とともに、水切り材２８が取り付けられている。水切り材２８は根太８の端部の上部を覆うようにして根太掛け９に向けて垂れ下がっている。これにより、シャッターの幅木受け２７とデッキ材６との間の隙間から流れ込んだ雨水を円滑、確実に根太掛け９に案内することができる。
【図面の簡単な説明】
【００２３】
【図１】本発明に係るバルコニーの縦断面図である。
【図２】図１のＸ−Ｘ線上の要部の断面図である。
【図３】図１の要部の拡大図である。
【図４】根太掛けの取付態様説明図である。
【図５】シャッターサッシに適用した場合の要部縦断面図である。
【符号の説明】
【００２４】
４  妻梁
８  根太
９  根太掛け
２３  係合片
２４  受け部
【図１】
2005290829.tif 000003
【図２】
2005290829.tif 000004
【図３】
2005290829.tif 000005
【図４】
2005290829.tif 000006
【図５】
2005290829.tif 000007